(57)【要約】【課題】１３セグメント形式や１セグメント形式など、セグメント形式が異なる複数のセグメントを含み、それら複数のセグメントの配置が異なる複数のデジタル放送信号の種別を高速かつ効率的に判定して、ＥＰＧやＥＣＧなどの送信に用いられるセグメントの検出効率を向上させること。【解決手段】検出部２５ａが、デジタル放送信号に含まれる所定のセグメントの組に対して、受信中のデジタル放送信号が所定の情報を含む放送を行っているか否かを検出し、判定部２５ｂが、検出部２５ａの検出結果に基づいて、受信中のデジタル放送信号の種別を判定する。ここで、上記所定のセグメントの組は、所定のセグメントの組に含まれる複数のセグメントの周波数帯域において所定の情報を含むか否かのパターンが複数の種別のデジタル放送信号間で異なるセグメントの組である。【選択図】図１
2012222597.tif 000002
【特許請求の範囲】
【請求項１】
セグメント形式が異なる複数のセグメント群を含み、該複数のセグメント群の配置が異なる複数の種別のデジタル放送信号を受信する放送受信装置であって、
前記デジタル放送信号に含まれる所定のセグメントの組に対して、受信中のデジタル放送信号が所定の情報を含む放送を行っているか否かを検出する検出部と、
前記検出部の検出結果に基づいて、受信中のデジタル放送信号の種別を判定する判定部と、を備え、
前記所定のセグメントの組は、該所定のセグメントの組に含まれる複数のセグメントの周波数帯域において前記所定の情報を含むか否かのパターンが前記複数の種別のデジタル放送信号間で異なるセグメントの組であることを特徴とする放送受信装置。
【請求項２】
前記デジタル放送信号の種別の総数がｎである場合に、前記所定のセグメントの組に含まれる１つのセグメントの周波数帯域において、前記所定の情報を含む放送に該周波数帯域を使用するデジタル放送信号の種別の総数が（ｎ−１）であることを特徴とする請求項１に記載の放送受信装置。
【請求項３】
前記検出部により前記所定の情報を含む放送を行っていると検出されたセグメントから前記所定の情報を取得し、さらに該セグメント以外のセグメントのうち、前記所定の情報を含む放送に用いられるセグメントを、前記判定部による判定結果に基づいて特定し、特定されたセグメントから前記所定の情報を取得する情報取得部をさらに備えることを特徴とする請求項１または２に記載の放送受信装置。
【請求項４】
前記セグメント形式が異なる複数のセグメント群は、１３セグメント形式のセグメント群、及び、１セグメント形式のセグメント群を少なくとも含むことを特徴とする請求項１〜３のいずれか１項に記載の放送受信装置。
【請求項５】
前記所定の情報は、放送される番組の案内情報、あるいは、放送されるコンテンツの案内情報であることを特徴とする請求項１〜４のいずれか１項に記載の放送受信装置。
【請求項６】
セグメント形式が異なる複数のセグメント群を含み、該複数のセグメント群の配置が異なる複数の種別のデジタル放送信号を受信する放送受信方法であって、
前記デジタル放送信号に含まれる所定のセグメントの組に対して、受信中のデジタル放送信号が所定の情報を含む放送を行っているか否かを検出する検出ステップと、
前記検出ステップにおける検出結果に基づいて、受信中のデジタル放送信号の種別を判定する判定ステップと、を含み、
前記所定のセグメントの組は、該所定のセグメントの組に含まれる複数のセグメントの周波数帯域において前記所定の情報を含むか否かのパターンが前記複数の種別のデジタル放送信号間で異なるセグメントの組であることを特徴とする放送受信方法。
【発明の詳細な説明】
【技術分野】
【０００１】
本発明は、セグメント形式が異なる複数のセグメント群を含み、該複数のセグメント群の配置が異なる複数の種別のデジタル放送信号を受信する放送受信装置、および、放送受信方法に関する。
【背景技術】
【０００２】
近年、地上マルチメディア放送において、セグメント連結伝送方式という伝送方式が提案されている。このセグメント連結伝送方式では、１３セグメント形式の２つのスーパーセグメントと、１セグメント形式のセグメントを７個連結したスーパーセグメントとを組み合わせ、合計で３３個のセグメントからなる連結ＯＦＤＭ（Orthogonal Frequency Division Multiplexing）セグメント（周波数帯域２０７．５ＭＨｚ〜２２２ＭＨｚ）を用いて放送が行われる。
【０００３】
図４は、セグメント連結伝送方式の一例について説明する図である。図４に示すように、このセグメント連結伝送方式では、３つのスーパーセグメントａ〜ｃが連結されることにより連結ＯＦＤＭセグメントが構成される。図４（Ａ）〜（Ｃ）に示すスーパーセグメントａ、ｃは、１３セグメント形式の連結されたセグメントである。スーパーセグメントｂは、１セグメント形式の７つのセグメントが連結されたセグメントである。
【０００４】
ここで、図４（Ａ）に示す連結ＯＦＤＭセグメントでは、スーパーセグメントｂが、スーパーセグメントａ、ｃの間に配置されている。図４（Ｂ）に示す連結ＯＦＤＭセグメントでは、スーパーセグメントｂが、スーパーセグメントａ、ｃの前に配置されている。図４（Ｃ）に示す連結ＯＦＤＭセグメントでは、スーパーセグメントｂが、スーパーセグメントａ、ｃの後に配置されている。
【０００５】
地上マルチメディア放送の運用規定では、原則として図４（Ａ）に示す連結ＯＦＤＭセグメントを用いて放送を行うことが想定されている。しかし、連結ＯＦＤＭセグメントの周波数帯域（２０７．５ＭＨｚ〜２２２ＭＨｚ）に隣接する周波数帯域を利用する通信との干渉を考慮して、図４（Ｂ）や図４（Ｃ）に示す連結ＯＦＤＭセグメントが用いられることがある。
【０００６】
地上マルチメディア放送においては、ＥＰＧ（Electronic Program Guide）やＥＣＧ（Electronic Content Guide）と呼ばれる放送番組や放送コンテンツの案内情報が放送される。ＥＰＧやＥＣＧは、スーパーセグメントａ、ｃでは、中心の部分受信セグメント（図４（Ａ）のセグメント７、２７、図４（Ｂ）のセグメント１４、２７、図４（Ｃ）のセグメント７、２０）を用いて送信され、スーパーセグメントｂでは、各セグメント（図４（Ａ）のセグメント１４〜２０、図４（Ｂ）のセグメント１〜７、図４（Ｃ）のセグメント２７〜３３）を用いて送信される。
【０００７】
そして、地上マルチメディア放送を受信する受信機は、スーパーセグメントａ、ｃを用いて放送されるチャンネル、および、スーパーセグメントｂの各セグメントを用いて放送されるチャンネルのＥＰＧやＥＣＧを取得するため、ＥＰＧやＥＣＧの送信に用いられるセグメントを高速かつ効率よく検出する必要がある。
【０００８】
例えば、ＥＰＧやＥＣＧの放送に用いられているセグメントか否かを、図４に示すセグメント１からセグメント３３まで順に、あるいは、セグメント３３からセグメント１まで逆順に１つずつ検出する方法がある。しかしこの方法では、すべてのセグメントについて上記検出を終了するまでに、理論上、１つのセグメントに対する検出時間の３３倍の時間がかかることになる。
【０００９】
特許文献１には、サーチが不要なセグメントをサーチ対象から除外することにより、効率よくセグメントをサーチするデジタル放送受信装置が開示されている。このデジタル放送受信装置は、１３セグメント形式の放送信号の中央のセグメントをサーチし、中央のセグメントを用いて放送されるワンセグ放送を検出する。そして、デジタル放送受信装置は、検出したワンセグ放送を記憶する。デジタル放送受信装置は、その後に別の放送を検出する場合、記憶したワンセグ放送の放送に用いられるセグメントを除外してセグメントをサーチする。
【先行技術文献】
【特許文献】
【００１０】
【特許文献１】特開２００９−２６０８１２号公報
【発明の概要】
【発明が解決しようとする課題】
【００１１】
しかしながら、上述した特許文献１の技術では、１３セグメント形式の放送信号の中央のセグメントをサーチすることとしているが、ワンセグ放送には必ずしも中央のセグメントが用いられるとは限らず（例えば、図４（Ａ）のセグメント１４〜１６、１８〜２０など）、中央のセグメントだけサーチしていたのでは検出されないワンセグ放送が発生する。
【００１２】
そのため、連結ＯＦＤＭセグメントに含まれるすべてのＥＰＧやＥＣＧを取得するためには、すべてのセグメントをサーチする必要が生じ、ＥＰＧやＥＣＧの送信に用いられるセグメントの検出効率を向上させることが困難である。
【００１３】
本発明は、上記課題に鑑み、デジタル放送信号の種別を高速かつ効率的に判定でき、ＥＰＧやＥＣＧなどの送信に用いられるセグメントの検出効率を向上させることが可能な放送受信装置、および、放送受信方法を提供することを目的とする。
【課題を解決するための手段】
【００１４】
上記課題を解決する為に、本発明の第１の技術手段は、セグメント形式が異なる複数のセグメント群を含み、該複数のセグメント群の配置が異なる複数の種別のデジタル放送信号を受信する放送受信装置であって、前記デジタル放送信号に含まれる所定のセグメントの組に対して、受信中のデジタル放送信号が所定の情報を含む放送を行っているか否かを検出する検出部と、前記検出部の検出結果に基づいて、受信中のデジタル放送信号の種別を判定する判定部と、を備え、前記所定のセグメントの組は、該所定のセグメントの組に含まれる複数のセグメントの周波数帯域において前記所定の情報を含むか否かのパターンが前記複数の種別のデジタル放送信号間で異なるセグメントの組であることを特徴とする。
【００１５】
本発明の第２の技術手段は、第１の技術手段において、前記デジタル放送信号の種別の総数がｎである場合に、前記所定のセグメントの組に含まれる１つのセグメントの周波数帯域において、前記所定の情報を含む放送に該周波数帯域を使用するデジタル放送信号の種別の総数が（ｎ−１）であることを特徴とする。
【００１６】
本発明の第３の技術手段は、第１または第２の技術手段において、前記検出部により前記所定の情報を含む放送を行っていると検出されたセグメントから前記所定の情報を取得し、さらに該セグメント以外のセグメントのうち、前記所定の情報を含む放送に用いられるセグメントを、前記判定部による判定結果に基づいて特定し、特定されたセグメントから前記所定の情報を取得する情報取得部をさらに備えることを特徴とする。
【００１７】
本発明の第４の技術手段は、第１〜第３のいずれか１つの技術手段において、前記セグメント形式が異なる複数のセグメント群は、１３セグメント形式のセグメント群、及び、１セグメント形式のセグメント群を少なくとも含むことを特徴とする。
【００１８】
本発明の第５の技術手段は、第１〜第４のいずれか１つの技術手段において、前記所定の情報は、放送される番組の案内情報、あるいは、放送されるコンテンツの案内情報であることを特徴とする。
【００１９】
本発明の第６の技術手段は、セグメント形式が異なる複数のセグメント群を含み、該複数のセグメント群の配置が異なる複数の種別のデジタル放送信号を受信する放送受信方法であって、前記デジタル放送信号に含まれる所定のセグメントの組に対して、受信中のデジタル放送信号が所定の情報を含む放送を行っているか否かを検出する検出ステップと、前記検出ステップにおける検出結果に基づいて、受信中のデジタル放送信号の種別を判定する判定ステップと、を含み、前記所定のセグメントの組は、該所定のセグメントの組に含まれる複数のセグメントの周波数帯域において前記所定の情報を含むか否かのパターンが前記複数の種別のデジタル放送信号間で異なるセグメントの組であることを特徴とする。
【発明の効果】
【００２０】
本発明によれば、デジタル放送信号に含まれる所定のセグメントの組に対して、受信中のデジタル放送信号が所定の情報を含む放送を行っているか否かが検出され、その検出結果に基づいて、受信中のデジタル放送信号の種別が判定される。そして、上記所定のセグメントの組は、その所定のセグメントの組に含まれる複数のセグメントの周波数帯域において所定の情報を含むか否かのパターンが複数の種別のデジタル放送信号間で異なるセグメントの組であるので、デジタル放送信号の種別を高速かつ効率的に判定でき、ＥＰＧやＥＣＧなどの送信に用いられるセグメントの検出効率を向上させることができる。
【図面の簡単な説明】
【００２１】
【図１】本発明に係る放送受信装置の構成の一例を示すブロック図である。
【図２】番組／コンテンツ案内情報の放送に用いられるセグメントについて説明する図である。
【図３】本発明に係る放送受信処理の処理手順の一例を示すフローチャートである。
【図４】セグメント連結伝送方式の一例について説明する図である。
【発明を実施するための形態】
【００２２】
以下、本発明の実施形態について図面を参照して詳細に説明する。図１は、本発明に係る放送受信装置１０の構成の一例を示すブロック図である。図１に示すように、放送受信装置１０は、アンテナ１１、チューナ部１２、入力部１３、表示部１４、スピーカ１５、イヤホン出力部１６、ブルートゥース出力部１７、ＴＳ記憶部１８、データ記憶部１９、ＴＳ分離部２０、映像デコード部２１、音声デコード部２２、録画制御部２３、再生制御部２４、主制御部２５を備える。
【００２３】
アンテナ１１は、地上マルチメディア放送などのデジタル放送を受信するアンテナである。チューナ部１２は、アンテナ１１が受信したデジタル放送からユーザにより指定された放送局の周波数を選択し、その周波数で放送されたデジタル放送のＴＳをＴＳ分離部２０、あるいは、録画制御部２３に出力するチューナである。入力部１３は、ボタンやタッチパネル、キーボード、マウス、リモコンなど、ユーザからの情報の入力操作を受け付ける入力デバイスである。
【００２４】
表示部１４は、デジタル放送の映像やデータ放送のデータ、ユーザに提供する情報などを表示する液晶ディスプレイなどの表示デバイスである。スピーカ１５は、デジタル放送の音声などを出力するスピーカである。イヤホン出力部１６は、デジタル放送の音声などをイヤホン出力部１６が備えるイヤホンジャックを介して出力する処理部である。ブルートゥース出力部１７は、デジタル放送の音声などをブルートゥース通信により他の装置に出力する処理部である。
【００２５】
ＴＳ記憶部１８、データ記憶部１９は、不揮発性メモリやハードディスク装置などの記憶デバイスである。ＴＳ記憶部１８は、デジタル放送のＴＳ（Transport Stream）を記憶する。データ記憶部１９は、放送される番組やコンテンツの案内情報（例えば、ＥＰＧやＥＣＧ。以下、番組／コンテンツ案内情報と呼ぶ。）などの、デジタル放送を受信することにより得られた情報や、ユーザが入力部１３を介して設定した情報、連結ＯＦＤＭセグメント情報などを記憶する。ここで、連結ＯＦＤＭセグメント情報とは、連結ＯＦＤＭセグメントに含まれるセグメントのうち、番組／コンテンツ案内情報の放送に用いられるセグメントの情報である。
【００２６】
図２は、番組／コンテンツ案内情報の放送に用いられるセグメントについて説明する図である。図２（Ａ）〜（Ｃ）に示す連結ＯＦＤＭセグメント（周波数帯域２０７．５ＭＨｚ〜２２２ＭＨｚ）に含まれるスーパーセグメントａ、ｃは、１３セグメント形式の連結されたセグメントである。スーパーセグメントｂは、１セグメント形式の７つのセグメントが連結されたセグメントである。
【００２７】
ここで、図２（Ａ）に示す連結ＯＦＤＭセグメントでは、スーパーセグメントｂが、スーパーセグメントａ、ｃの間に配置されている（以下、運用パターンＡと呼ぶ。）。図２（Ｂ）に示す連結ＯＦＤＭセグメントでは、スーパーセグメントｂが、スーパーセグメントａ、ｃの前に配置されている（以下、運用パターンＢと呼ぶ。）。図２（Ｃ）に示す連結ＯＦＤＭセグメントでは、スーパーセグメントｂが、スーパーセグメントａ、ｃの後に配置されている（以下、運用パターンＣと呼ぶ。）。
【００２８】
また、運用パターンＡでは、番組／コンテンツ案内情報は、セグメント７、セグメント１４〜２０、および、セグメント２７を用いて放送される。運用パターンＢでは、番組／コンテンツ案内情報は、セグメント１〜７、セグメント１４、および、セグメント２７を用いて放送される。運用パターンＣでは、番組／コンテンツ案内情報は、セグメント７、セグメント２０、および、セグメント２７〜３３を用いて放送される。
【００２９】
そのため、連結ＯＦＤＭセグメント情報には、運用パターンＡに対応付けて、セグメント７、セグメント１４〜２０、および、セグメント２７という情報が、運用パターンＢに対応付けて、セグメント１〜７、セグメント１４、および、セグメント２７という情報が、運用パターンＣに対応付けて、セグメント７、セグメント２０、および、セグメント２７〜３３という情報が登録される。
【００３０】
ＴＳ分離部２０は、チューナ部１２が選局した放送局のデジタル放送のＴＳ、あるいは、ＴＳ記憶部１８に記憶されたＴＳを取得して、ＴＳを映像データ、音声データ、データ放送用データに分離する処理部である。ＴＳ分離部２０は、ＴＳの分離により得られた映像データを映像デコード部２１に、音声データを音声デコード部２２に、データ放送用データを主制御部２５に出力する。
【００３１】
映像デコード部２１は、ＴＳ分離部２０から取得した映像データをデコードし、その結果得られた映像信号を表示部１４に出力する処理部である。音声デコード部２２は、ＴＳ分離部２０から取得した音声データをデコードし、その結果得られた音声信号をスピーカ１５、イヤホン出力部１６、あるいは、ブルートゥース出力部１７に出力する処理部である。
【００３２】
録画制御部２３は、ユーザが入力部１３を操作して番組を録画するように指示した場合に、チューナ部１２により入力されるＴＳから、ユーザが入力部１３を操作して指定した番組に対するＰＩＤ（Packet ID）を有するＴＳを抽出し、抽出したＴＳをＴＳ記憶部１８に記憶する処理部である。
【００３３】
再生制御部２４は、ユーザが入力部１３を操作して、ＴＳ記憶部１８にＴＳが記憶された番組を再生するように指示した場合に、その番組に対応するＴＳをＴＳ記憶部１８から読み出し、読み出したＴＳをＴＳ分離部２０に出力する処理部である。主制御部２５は、放送受信処理を制御する処理部である。この主制御部２５は、検出部２５ａ、判定部２５ｂ、情報取得部２５ｃを備える。
【００３４】
検出部２５ａは、デジタル放送信号に含まれる所定のセグメントの組に対して、受信中のデジタル放送信号が番組／コンテンツ案内情報を含む放送を行っているか否かを検出する処理部である。ここで、所定のセグメントの組とは、所定のセグメントの組に含まれる複数のセグメントの周波数帯域において、番組／コンテンツ案内情報を含むか否かのパターンが運用パターンＡ〜Ｃ間で異なるセグメントの組のことである。
【００３５】
例えば、図２の場合、セグメント１４およびセグメント２０が所定のセグメントの組として選択される。運用パターンＡでは、セグメント１４、セグメント２０はそれぞれ番組／コンテンツ案内情報を含み、運用パターンＢでは、セグメント１４は番組／コンテンツ案内情報を含み、セグメント２０は番組／コンテンツ案内情報を含まず、運用パターンＣでは、セグメント１４は番組／コンテンツ案内情報を含まず、セグメント２０は番組／コンテンツ案内情報を含む。すなわち、セグメント１４とセグメント２０の組において、番組／コンテンツ案内情報を含むか否かのパターンが、運用パターンＡ〜Ｃ間で異なっている。
【００３６】
また、上記セグメントの組に含まれるセグメント１４において、セグメント１４を番組／コンテンツ案内情報を含む放送に用いる運用パターンＡ、Ｂの総数は、運用パターンＡ〜Ｃの総数３よりも１つ少ない２である。同様に、上記セグメントの組に含まれるセグメント２０において、セグメント２０を番組／コンテンツ案内情報を含む放送に用いる運用パターンＡ、Ｃの総数は、運用パターンＡ〜Ｃの総数３よりも１つ少ない２である。すなわち、番組／コンテンツ案内情報を含む放送にセグメント１４、２０を用いる運用パターンの数は、番組／コンテンツ案内情報を含む放送にセグメント１４、２０を用いない運用パターンの数よりも多くなっている。
【００３７】
このように、セグメント１４、２０において、受信中のデジタル放送信号が番組／コンテンツ案内情報を含む放送を行っているか否かを検出すると、セグメント１４、２０において受信中のデジタル放送信号が番組／コンテンツ案内情報を含む放送を行っていると検出される確率が高くなる。そして、受信中のデジタル放送信号が番組／コンテンツ案内情報を含む放送を行っていると検出されれば、番組／コンテンツ案内情報を即座に取得できる。
【００３８】
すなわち、セグメント１４、２０において、受信中のデジタル放送信号が番組／コンテンツ案内情報を含む放送を行っているか否かを検出することにより、そのセグメント１４、２０から番組／コンテンツ案内情報を即座に取得できる確率が高くなるので、番組／コンテンツ案内情報の取得処理が高速化され得る。
【００３９】
判定部２５ｂは、セグメント１４、２０において、番組／コンテンツ案内情報が放送されているか否かの検出結果に基づいて、受信中の連結ＯＦＤＭセグメントが運用パターンＡ〜Ｃのいずれの種別に該当するかを判定する処理部である。
【００４０】
具体的には、判定部２５ｂは、セグメント１４、２０の両方において番組／コンテンツ案内情報が放送されていることが検出部２５ｂにより検出された場合、受信中の連結ＯＦＤＭセグメントの種別が運用パターンＡであると判定する。
【００４１】
また、判定部２５ｂは、セグメント１４において番組／コンテンツ案内情報が放送されているが、セグメント２０においては番組／コンテンツ案内情報が放送されていないことが検出部２５ｂにより検出された場合、受信中の連結ＯＦＤＭセグメントの種別が運用パターンＢであると判定する。
【００４２】
また、判定部２５ｂは、セグメント１４においては番組／コンテンツ案内情報が放送されていないが、セグメント２０においては番組／コンテンツ案内情報が放送されていることが検出部２５ｂにより検出された場合、受信中の連結ＯＦＤＭセグメントの種別が運用パターンＣであると判定する。
【００４３】
情報取得部２５ｃは、番組／コンテンツ案内情報を含む放送を行っていると検出されたセグメント（セグメント１４、あるいは、セグメント２０、あるいは、その両方）から番組／コンテンツ案内情報を取得するとともに、そのセグメント以外のセグメントのうち、番組／コンテンツ案内情報を含む放送に用いられるセグメントを、判定部２５ｂによる運用パターンの判定結果に基づいて特定し、特定されたセグメントから番組／コンテンツ案内情報を取得する処理部である。
【００４４】
具体的には、受信中の連結ＯＦＤＭセグメントの種別が運用パターンＡであると判定された場合、情報取得部２５ｃは、セグメント１４、２０から番組／コンテンツ案内情報を取得する。さらに、情報取得部２５ｃは、データ記憶部１９に記憶された連結ＯＦＤＭセグメント情報を参照し、セグメント１４、２０以外のセグメントのうち、番組／コンテンツ案内情報を含む放送に用いられるセグメント７、１５〜１９、２７を特定する。そして、情報取得部２５ｃは、セグメント７、１５〜１９、２７から番組／コンテンツ案内情報を取得する。
【００４５】
また、受信中の連結ＯＦＤＭセグメントの種別が運用パターンＢであると判定された場合、情報取得部２５ｃは、セグメント１４から番組／コンテンツ案内情報を取得する。さらに、情報取得部２５ｃは、データ記憶部１９に記憶された連結ＯＦＤＭセグメント情報を参照し、セグメント１４以外のセグメントのうち、番組／コンテンツ案内情報を含む放送に用いられるセグメント１〜７、２７を特定する。そして、情報取得部２５ｃは、セグメント１〜７、２７から番組／コンテンツ案内情報を取得する。
【００４６】
また、受信中の連結ＯＦＤＭセグメントの種別が運用パターンＣであると判定された場合、情報取得部２５ｃは、セグメント２０から番組／コンテンツ案内情報を取得する。さらに、情報取得部２５ｃは、データ記憶部１９に記憶された連結ＯＦＤＭセグメント情報を参照し、セグメント２０以外のセグメントのうち、番組／コンテンツ案内情報を含む放送に用いられるセグメント７、２７〜３３を特定する。そして、情報取得部２５ｃは、セグメント７、２７〜３３から番組／コンテンツ案内情報を取得する。
【００４７】
このように、連結ＯＦＤＭセグメントの運用パターンを判定し、その運用パターンから番組／コンテンツ案内情報の送信に用いられるセグメントを特定することにより、番組／コンテンツ案内情報を含む放送に用いられるセグメントをセグメント１からセグメント３３まで順に、あるいは、セグメント３３からセグメント１まで逆順に１つずつサーチする必要がなくなり、番組／コンテンツ案内情報を効率よく取得することができる。
【００４８】
また、１３セグメント形式のセグメント、及び、１セグメント形式のセグメントが含まれる連結ＯＦＤＭセグメントの運用パターンを判定することにより、地上マルチメディア放送において、番組／コンテンツ案内情報の送信に用いられるセグメントの検出効率を向上させることができる。また、番組／コンテンツ案内情報を利用して連結ＯＦＤＭセグメントの運用パターンを判定することにより、運用パターンを効率的に判定できる。
【００４９】
つぎに、本発明に係る放送受信処理の処理手順の一例について説明する。図３は、本発明に係る放送受信処理の処理手順の一例を示すフローチャートである。図３に示すように、放送受信装置１０の検出部２５ａは、チューナ部１２を１セグメントモードで起動する（ステップＳ１０１）。１セグメントモードとは、１３セグメント形式のスーパーセグメントａ、ｃからは中央のセグメントからデジタル放送を受信し、１セグメント形式のスーパーセグメントｂからは各セグメントからデジタル放送を受信するモードである。
【００５０】
そして、検出部２５ａは、図２（Ａ）〜（Ｃ）に示すセグメント１４の周波数で選局を行う（ステップＳ１０２）。その後、検出部２５ａは、番組／コンテンツ案内情報を含む放送を行っている放送チャンネルをセグメント１４の周波数で検出したか否かを判定する（ステップＳ１０３）。
【００５１】
セグメント１４において、番組／コンテンツ案内情報を含む放送を行っている放送チャンネルを検出した場合（ステップＳ１０３においてＹＥＳの場合）、情報取得部２５ｃは、セグメント１４の周波数で放送された番組／コンテンツ案内情報を取得する（ステップＳ１０４）。この番組／コンテンツ案内情報の取得処理は、すでにステップＳ１０２において、セグメント１４の選局処理が終了しているため、即座に実行することができる。
【００５２】
続いて、検出部２５ａは、セグメント２０の周波数で選局を行う（ステップＳ１０５）。そして、検出部２５ａは、番組／コンテンツ案内情報を含む放送を行っている放送チャンネルをセグメント２０の周波数で検出したか否かを判定する（ステップＳ１０６）。
【００５３】
番組／コンテンツ案内情報を含む放送を行っている放送チャンネルをセグメント２０の周波数で検出した場合（ステップＳ１０６においてＹＥＳの場合）、判定部２５ｂは、受信中の連結ＯＦＤＭセグメントの種別が、図２（Ａ）に示した運用パターンＡであると判定する（ステップＳ１０７）。
【００５４】
そして、情報取得部２５ｃは、セグメント２０の周波数で放送された番組／コンテンツ案内情報を取得する（ステップＳ１０８）。この番組／コンテンツ案内情報の取得処理は、すでにステップＳ１０５において、セグメント２０の選局処理が終了しているため、即座に実行することができる。
【００５５】
続いて、情報取得部２５ｃは、セグメント７、１５〜１９、２７の周波数で選局を行い、セグメント７、１５〜１９、２７の周波数で放送された番組／コンテンツ案内情報を取得する（ステップＳ１０９）。その後、この放送受信処理は終了する。
【００５６】
ステップＳ１０６において、番組／コンテンツ案内情報を含む放送を行っている放送チャンネルをセグメント２０の周波数で検出しなかった場合（ステップＳ１０６においてＮＯの場合）、判定部２５ｂは、受信中の連結ＯＦＤＭセグメントの種別が、図２（Ｂ）に示した運用パターンＢであると判定する（ステップＳ１１０）。
【００５７】
そして、情報取得部２５ｃは、セグメント１〜７、２０、２７の周波数で選局を行い、セグメント１〜７、２０、２７の周波数で放送された番組／コンテンツ案内情報を取得する（ステップＳ１１１）。その後、この放送受信処理は終了する。
【００５８】
ステップＳ１０３において、番組／コンテンツ案内情報を含む放送を行っている放送チャンネルをセグメント１４の周波数で検出しなかった場合（ステップＳ１０３においてＮＯの場合）、判定部２５ｂは、受信中の連結ＯＦＤＭセグメントの種別が、図２（Ｃ）に示した運用パターンＣであると判定する（ステップＳ１１２）。
【００５９】
そして、情報取得部２５ｃは、セグメント７、２０、２７〜３３の周波数で選局を行い、セグメント７、２０、２７〜３３の周波数で放送された番組／コンテンツ案内情報を取得する（ステップＳ１１３）。その後、この放送受信処理は終了する。
【００６０】
情報取得部２５ｃは、以上のようにして収集した番組／コンテンツ案内情報を、データ記憶部１９に記憶する。そして、ユーザが入力部１３を操作して番組／コンテンツ案内情報を表示するように指示した場合に、主制御部２５は、表示部１４に番組／コンテンツ案内情報を出力し、表示部１４は、番組／コンテンツ案内情報を表示する。
【００６１】
なお、本発明は上述した実施形態に限定されず、本発明の要旨を逸脱しない範囲内で各種の変形、修正が可能である。例えば、上記実施形態では、運用パターンが３つの場合について説明したが、運用パターンの数は３つに限定されるものではない。また、上記実施形態では、番組／コンテンツ案内情報を用いて、受信中のデジタル放送信号の運用パターンを判定することとしたが、スーパーセグメントｂに含まれる各セグメント、および、スーパーセグメントａ、ｃの中央のセグメントを用いて放送されるが、他のセグメントを用いては放送されない情報を番組／コンテンツ案内情報の代わりに用いることとしてもよい。
【００６２】
さらに、上記実施形態では、セグメント１４、２０において番組／コンテンツ案内情報を含む放送が行われているか否かを検出することとしたが、その他のセグメントを用いて番組／コンテンツ案内情報を含む放送が行われているか否かを検出することとしてもよい。
【００６３】
例えば、図２のセグメント１５〜１９のいずれかのセグメント、および、セグメント１〜６のいずれかのセグメントにおいて、番組／コンテンツ案内情報を含む放送が行われているか否かを検出することとしてもよい。ここで、セグメント１５〜１９のいずれかのセグメントの周波数において、番組／コンテンツ案内情報を含む放送を行っている放送チャンネルが検出部２５ａにより検出された場合には、判定部２５ｂは、受信中の連結ＯＦＤＭセグメントの種別が、図２（Ａ）に示した運用パターンＡであると判定する。
【００６４】
また、セグメント１〜６のいずれかのセグメントの周波数において、番組／コンテンツ案内情報を含む放送を行っている放送チャンネルが検出部２５ａにより検出された場合には、判定部２５ｂは、受信中の連結ＯＦＤＭセグメントの種別が、図２（Ｂ）に示した運用パターンＢであると判定する。
【００６５】
また、セグメント１５〜１９のいずれかのセグメントの周波数においても、セグメント１〜６のいずれかのセグメントの周波数においても、番組／コンテンツ案内情報を含む放送を行っている放送チャンネルが検出部２５ａにより検出されなかった場合には、判定部２５ｂは、受信中の連結ＯＦＤＭセグメントの種別が、図２（Ｃ）に示した運用パターンＣであると判定する。このような方法によっても、受信中の連結ＯＦＤＭセグメントの種別を効率的に判定できる。
【符号の説明】
【００６６】
１０…放送受信装置、１１…アンテナ、１２…チューナ部、１３…入力部、１４…表示部、１５…スピーカ、１６…イヤホン出力部、１７…ブルートゥース出力部、１８…ＴＳ記憶部、１９…データ記憶部、２０…ＴＳ分離部、２１…映像デコード部、２２…音声デコード部、２３…録画制御部、２４…再生制御部、２５…主制御部、２５ａ…検出部、２５ｂ…判定部、２５ｃ…情報取得部。
【図１】
2012222597.tif 000003
【図２】
2012222597.tif 000004
【図３】
2012222597.tif 000005
【図４】
2012222597.tif 000006